(57)【要約】【解決手段】  本発明は広義には、複数の窪んだ楔形フレームからなる展示用組立からなる。１つの具体例では、フレームは互いに固定され、フレームの少なくとも２つが共通面を有するように配置される。他の具体例では、フレームは互いに接触せず、間隔を置かれて離れている。その他の具体例では、フレーム組立は非対称であり、個々のフレームは単一段に配置される。いくつかの具体例では、少なくとも２つの個々のフレームが、互いに異なる角度方向を有している。【効果】  観察者の注意を引き、展示に興味を抱かせる。【選択図】  図１
2004209216.tif 000002
【特許請求の範囲】
【請求項１】
複数の窪んだ楔形フレームからなる展示用組立であって、ここに該複数の窪んだ楔形フレームのうち少なくとも２つが互いに固定されていることを特徴とする展示用組立。
【請求項２】
該複数の窪んだ楔形フレームの少なくとも１つが、該複数の窪んだ楔形フレームの他の１つの少なくとも１つの面と共有平面に配置された１つの面を有する、請求項１に記載の展示用組立。
【請求項３】
該複数のフレームの少なくとも１つが、少なくとも１つの他のフレームに関し、異なる角度配置を有する、請求項１に記載の展示用組立。
【請求項４】
該複数の窪んだ楔形フレームの少なくとも１つが、長方形である請求項１に記載の展示用組立。
【請求項５】
さらに平面マットからなり、ここに該窪んだ楔形フレームのそれぞれが、該マットに固定されている、請求項２に記載の展示用組立。
【請求項６】
さらに該複数の窪んだ楔形フレームを囲むフレーミング部材からなる、請求項２に記載の展示用組立。
【請求項７】
さらに該フレーミング部材内部に保持されるように配置された裏打ちパネルからなる、請求項６に記載の展示用組立。
【請求項８】
さらに該フレーミング部材に固定された保持手段からなり、該保持手段が裏打ちパネルを保持するように配置された請求項６に記載の展示用組立。
【請求項９】
さらに該マットに保持されるように配置された透明パネルからなる請求項８に記載の展示用組立。
【請求項１０】
さらに透明パネルに対し保持されるように配置され、該複数の窪んだ楔形フレーム内に見ることができる美術品からなる請求項９に記載の展示用組立。
【請求項１１】
該透明パネルがガラスからできている、請求項９に記載の展示用組立。
【請求項１２】
該透明パネルがプラスチックでできている、請求項９に記載の展示用組立。
【請求項１３】
さらに該美術品に対して保持されるように配置された裏打ち部材からなる請求項１０に記載の展示用組立。
【請求項１４】
該裏打ち部材が段ボール紙からできている請求項１３に記載の展示用組立。
【請求項１５】
さらに該裏打ちパネルに固定された支持手段からなり、該支持手段が保持手段により該裏打ち部材に対して保持されるように配置された請求項５に記載の展示用組立。
【請求項１６】
該支持手段が、画像支持手段に固定して接着剤する第１蝶番要素を有する蝶番、該第１蝶番要素に回転可能に接続する第２蝶番要素、該蝶番の第２蝶番要素に固定して接続された支持要素からなる、請求項１５に記載の展示用組立。
【請求項１７】
複数の窪んだ楔形フレームの少なくとも１つが、４つの楔形フレーム要素からなる、請求項１に記載の展示用組立。
【請求項１８】
該複数の窪んだ楔形フレームの１つが、４つのフレーム部材からなり、ここに該フレーム部材の２つが楔形であり、互いに平行に配置され、該フレーム部材の２つが長方形であり、互いに平行に配置されている、請求項１に記載の展示用組立。
【請求項１９】
複数の窪んだ楔形フレームからなる展示用組立であって、ここに該複数のフレームの少なくとも２つのそれぞれが、単一平面を共通に有する、展示用組立。
【請求項２０】
複数の窪んだ楔形フレームからなる展示用組立。
【発明の詳細な説明】
【技術分野】
【０００１】
本発明は広義には、展示用組立体および画像フレームそして、より詳細には美術品の展示のための多数の窪んだ楔形のフレームからなる展示用組立体に関する。
【背景技術】
【０００２】
本発明は広義には、美術品展示用の展示用組立体に関する。従来種々の美術品の展示用組立体が知られている。
【０００３】
【特許文献１】米国特許番号Ｄ１６９１１６（ウィーンケ（Ｗｉｅｎｋｅ））は、平面図で長方形を形成する４つの対向する台形フレーム要素からなる絵画フレームの装飾意匠を開示する。ここには複数の窪んだ楔形フレームに関する示唆はない。
【０００４】
【特許文献２】米国特許番号Ｄ２４３９８９（コーヘン（Ｃｏｈｅｎ））は、複数（４個）の長方形フレームの展示領域からなる写真ホルダー用装飾意匠を開示する。対角線上に配置された、４つの展示領域のうちの２つは、他の２つに対して引っ込められている。このフレーム要素は楔形ではない。米国特許番号Ｄ２４２９７０（コーヘン（Ｃｏｈｅｎ））は上記２４３９８９特許と同様であるが、２つの展示領域を有し、１つが他方に対して引っ込められている。
【０００５】
【特許文献３】米国特許番号Ｄ２５３９８６（ライマン（Ｌｙｍａｎ））は写真その他用の折り畳み可能な展示用組立体を開示する。この特許発明中のいずれのフレーム要素も楔形ではない。
【０００６】
【特許文献４】米国特許番号Ｄ４３７４９０（ビンセント（Ｖｉｎｃｅｎｔ））は、多数の絵画フレーム組立体を開示し、そこではフレームは合わせ釘またはかけ釘で固定されている。この発明には窪んだ楔形フレームの開示はない。
【０００７】
【特許文献５】米国特許番号Ｄ２５４１１４（ライマン他（Ｌｙｍａｎ  ｅｔ  ａｌ．））は、写真その他の展示用組立体を開示する。この展示用は、写真展示用の複数の区画からなり、そのいくつかは角をなす側表面を有する。ここにも平面展示用表面から外側に突出する窪んだ楔形フレームの開示はない。
【０００８】
【特許文献６】米国特許番号Ｄ３７２２１１２（セスト（Ｓｅｓｔｏ））は、複数のフレームを有する絵画フレーム組立体およびコラージュ（ｃｏｌｌａｇｅ）に似せたフレームの重ね方法を開示する。この全てのフレームは、（楔形ではなく）長方形の側面要素からなっている。
【０００９】
【特許文献７】米国特許番号５０２０２５１（チェング（Ｃｈｅｎｇ））は、シート素材の多層ホルダを開示する。この個々の区画は、異なる平面上に配置され、その装置は、展示平面から外側に突出する窪んだ楔形フレームは含んでいない。
【発明の開示】
【発明が解決しようとする課題】
【００１０】
そこで求められているのは、互いに固定された複数の窪んだ楔形フレームを有する美術品の展示用組立体である。
【課題を解決するための手段】
【００１１】
（発明の要約）
本発明は広義には、複数の窪んだ楔形フレームを有する展示用組立体からなる。１つの具体例では、展示用組立体は、複数の楔形フレームからなり、該複数の窪んだ楔形フレームの中の少なくとも２つは、互いに固定されている。他の具体例では、展示用組立体は、複数の窪んだ楔形フレームからなり、ここに複数のフレームの少なくとも２つは、それぞれ１つの平面を共有する。
【００１２】
本発明の他の具体例では、互いに固定された複数の窪んだ楔形フレームを有する展示用組立体からなり、複数の窪んだ楔形フレームのうち少なくとも１つは、少なくとも１つの他の窪んだ楔形フレームに関し、異なる角度配置に置かれている。
【００１３】
本発明の一般的な目的は、複数の窪んだ楔形フレームであって、その全てが共通の平面展示面を共有しているフレームを有する展示用組立体を提供することである。
【００１４】
本発明の他の目的は、互いに異なる角度方向に配置された複数の窪んだ楔形フレームを有する展示用組立体を提供することである。
本発明の、これらおよびその他の目的、特徴、および利点は、本発明のいくつかの図面および以下の本発明の詳細説明を参照することにより、当業者には容易に理解することができるであろう。
【発明の効果】
【００１５】
観察者の注意を引き、展示に興味を抱かせる。
【発明を実施するための最良の形態】
【００１６】
本発明の性質および作動形態は、添付図面と共に以下の発明の詳細説明にさらに記載されており、ここに：
【００１７】
以下の図３Ａ−３ＥＥにおいて、形容詞「上（ｔｏｐ）」、「底（ｂｏｔｔｏｍ）」、「右（ｒｉｇｈｔ）」「左（ｌｅｆｔ）」「前（ｆｒｏｎｔ）」「後（ｂａｃｋ）」は、図３Ａの展示用組立体に向かっての見方をいう。ＦＩＧ．３Ａは、ＦＩＧ．３のフレーム１１の展開斜視図である。ＦＩＧ．３Ｂは、ＦＩＧ．３に示すフレーム部材１１ａの斜視図である。ＦＩＧ．３Ｃは、ＦＩＧ．３Ｂの線３Ｃ−３Ｃに沿って切った正面図である。ＦＩＧ．３Ｄは、フレーム部材１１ａの背面図である。ＦＩＧ．３Ｅは、ＦＩＧ．３Ｂの線３Ｅ−３Ｅに沿って切った、フレーム部材１１ａの平面図である。ＦＩＧ．３Ｆは、ＦＩＧ．３Ｂの線３Ｆ−３Ｆに沿って切った、フレーム部材１１ａの底面図である。ＦＩＧ．３Ｇは、ＦＩＧ．３Ｂの線３Ｇ−３Ｇに沿って切った、フレーム部材１１ａの側面図である。ＦＩＧ．３Ｈは、ＦＩＧ．３Ｂの線３Ｈ−３Ｈに沿って取った、フレーム部材１１ａの右側面図である。ＦＩＧ．３Ｊは、ＦＩＧ．３に示す、フレーム部材１１ｂの斜視図である。ＦＩＧ．３Ｋは、ＦＩＧ．３Ｊの線３Ｋ−３Ｋに沿って切った、フレーム部材１１ｂの正面図である。ＦＩＧ．３Ｌは、フレーム部材１１ｂの背面図である。ＦＩＧ．３Ｍは、ＦＩＧ．３Ｊの線３Ｍ−３Ｍに沿って切った、フレーム部材１１ｂの正面図である。ＦＩＧ．３Ｎは、ＦＩＧ．３Ｊの線３Ｎ−３Ｎに沿って切った、フレーム部材１１ｂの底面図である。ＦＩＧ．３Ｐは、ＦＩＧ．３Ｊの線３Ｐ−３Ｐに沿って切った、フレーム部材１１ｂの左側面図である。ＦＩＧ．３Ｑは、ＦＩＧ．３Ｊの線３Ｑ−３Ｑに沿って切った、フレーム部材１１ｂの正面図である。ＦＩＧ．３Ｒは、ＦＩＧ．３に示すフレーム部材１１ｃの斜視図である。ＦＩＧ．３Ｓは、ＦＩＧ．３Ｒの線３Ｓ−３Ｓに沿って切った、フレーム部材１１ｃの正面図である。ＦＩＧ．３Ｔは、フレーム部材１１ｃの背面図である。ＦＩＧ．３Ｕは、ＦＩＧ．３Ｒの線３Ｕ−３Ｕに沿って切った、フレーム部材１１ｃの平面図である。ＦＩＧ．３Ｖは、ＦＩＧ．３Ｒの線３Ｖ−３Ｖに沿って切った、フレーム部材１１ｃの底面図である。ＦＩＧ．３Ｗは、ＦＩＧ．３Ｒの線３Ｗ−３Ｗに沿って切った、フレーム部材１１ｃの左側面図である。ＦＩＧ．３Ｘは、ＦＩＧ．３Ｒの線３Ｘ−３Ｘに沿って切った、フレーム部材１１ｃの右側面図である。ＦＩＧ．３Ｙは、ＦＩＧ．３に示すフレーム部材１１ｄの斜視図である。ＦＩＧ．３Ｚは、ＦＩＧ．３Ｙの線３Ｚ−３Ｚに沿って切った、フレーム部材１１ｄの正面図である。ＦＩＧ．３ＡＡは、フレーム部材１１ｄの背面図である。ＦＩＧ．３ＢＢは、ＦＩＧ．３Ｙの線３ＢＢ−３ＢＢに沿って切った、フレーム部材１１ｄの平面図である。ＦＩＧ．３ＣＣは、ＦＩＧ．３Ｙの線３ＣＣ−３ＣＣに沿って切った、フレーム部材１１ｄの底面図である。ＦＩＧ．３ＤＤは、ＦＩＧ．３Ｙの線３ＤＤ−３ＤＤに沿って切った、フレーム部材１１ｄの左側面図である。ＦＩＧ．３ＥＥは、図３Ｙの線３ＥＥ−３ＥＥに沿って切った、フレーム部材１１ｄの右側面図である。図３−１は、図２の線４−４に沿って切った、本発明の展示用組立体の断面図である。図３−２は、左側から観察し、組み立てていない、図１に示す本発明の展開斜視図である。図３−３は、他の具体例の展開斜視図である。図３−４は、フレーム組立体の第２の具体例の斜視図である。図３−５は、複数のフレームが１つの段に配置されているフレーム組立体の第３の具体例の斜視図である。
【００１８】
以下の図３−３Ａ−６ＤＤにおいて、形容詞「上（ｔｏｐ）」、「底（ｂｏｔｔｏｍ）」、「右（ｒｉｇｈｔ）」「左（ｌｅｆｔ）」「前（ｆｒｏｎｔ）」「後（ｂａｃｋ）」は、図３−３のフレームに向かっての見方をいう。図３−３Ａは、図３−３に示すフレーム部材１１ａの斜視図である。ＦＩＧ．６Ｂは、ＦＩＧ．６Ａの線６Ｂ−６Ｂに沿って切った、フレーム部材１１ａの正面図である。ＦＩＧ．６Ｃは、フレーム部材１１ａの背面図である。ＦＩＧ．６Ｄは、ＦＩＧ．６Ａの線６Ｄ−６Ｄに沿って切った、フレーム部材１１ａの平面図である。ＦＩＧ．６Ｅは、ＦＩＧ．６Ａの線６Ｅ−６Ｅに沿って切った、フレーム部材１１ａの底面図である。ＦＩＧ．６Ｆは、ＦＩＧ．６Ａの線６Ｆ−６Ｆに沿って切った、フレーム部材１１ａの左側面図である。ＦＩＧ．６Ｇは、ＦＩＧ．６Ａの線６Ｇ−６Ｇに沿って切った、フレーム部材１１ａの右側面図である。ＦＩＧ．６Ｈは、ＦＩＧ．６に示すフレーム部材１１ｂの斜視図である。ＦＩＧ．６Ｊは、ＦＩＧ．６Ｈの線６Ｊ−６Ｊに沿って切った、フレーム部材１１ｂの正面図である。ＦＩＧ．６Ｋは、フレーム部材１１ｂの背面図である。ＦＩＧ．６Ｌは、ＦＩＧ．６Ｈの線６Ｌ−６Ｌに沿って切った、フレーム部材１１ｂの平面図である。ＦＩＧ．６Ｍは、ＦＩＧ．６Ｈの線６Ｍ−６Ｍに沿って切った、フレーム部材１１ｂの底面図である。ＦＩＧ．６Ｎは、ＦＩＧ．６Ｈの線６Ｎ−６Ｎに沿って切った、フレーム部材１１ｂの左側面図である。ＦＩＧ．６Ｐは、ＦＩＧ．６Ｈの線６Ｐ−６Ｐに沿って切った、フレーム部材１１ｂの右側面図である。ＦＩＧ．６ＱはＦＩＧ．６に示すフレーム部材１１ｃの斜視図である。ＦＩＧ．６Ｒは、ＦＩＧ．６Ｑの線６Ｒ−６Ｒに沿って切った、フレーム部材１１ｃの正面図である。ＦＩＧ．６Ｓは、フレーム部材１１ｃの背面図である。ＦＩＧ．６Ｔは、ＦＩＧ．６Ｑの線６Ｔ−６Ｔに沿って切った、フレーム部材１１ｃの平面図である。ＦＩＧ．６Ｕは、ＦＩＧ．６Ｑの線６Ｕ−６Ｕに沿って切った、フレーム部材１１ｃの底面図である。ＦＩＧ．６Ｖは、ＦＩＧ．６Ｑの線６Ｖ−６Ｖに沿って切った、フレーム部材１１ｃの左側面図である。ＦＩＧ．６Ｗは、ＦＩＧ．６Ｑの線６Ｗ−６Ｗに沿って切った、フレーム部材１１ｃの右側面図である。ＦＩＧ．６ＸはＦＩＧ．６に示すフレーム部材１１ｄの斜視図である。ＦＩＧ．６Ｙは、ＦＩＧ．６Ｘの線６Ｙ−６Ｙに沿って切った、フレーム部材１１ｄの正面図である。ＦＩＧ．６Ｚは、フレーム部材１１ｄの背面図である。ＦＩＧ．６ＡＡは、ＦＩＧ．６Ｘの線６ＡＡ−６ＡＡに沿って切った、フレーム部材１１ｄの平面図である。ＦＩＧ．６ＢＢは、ＦＩＧ．６Ｘの線６ＢＢ−６ＢＢに沿って切った、フレーム部材１１ｄの底面図である。ＦＩＧ．６ＣＣは、ＦＩＧ．６Ｘの線６ＣＣ−６ＣＣに沿って切った、フレーム部材１１ｄの左側面図である。ＦＩＧ．６ＤＤは、ＦＩＧ．６Ｘの線６ＤＤ−６ＤＤに沿って切った、フレーム部材１１ｄの右側面図である。
【００１９】
図７は、フレーム組立体の第２の具体例の斜視図であり、ここにここのフレームは互いに接触していない、そして
【００２０】
図８は、複数のフレームが１つの段に配置されている、図１記載のものと同様の、フレーム組立体の第３の具体例の斜視図である。
（発明の詳細な説明）
【００２１】
最初に、異なる図面上の同じ図の番号は、本発明の同じ構成要素を意味していると解するべきである。本発明は好適具体例と判断されるものについて説明されるが、開示した具体例に限定されるものではない。
【実施例１】
【００２２】
図１は、前から見た展示用組立体１０の斜視図である。展示用組立体１０は広義には、組立体を形成するように固定された複数の窪んだ楔形フレーム（１１，１３，１６，１７および１８）からなる（図中、５つの窪んだ楔形フレームが示されているが、請求項は複数（少なくとも２）の窪んだ楔形フレームを有する展示用組立体を含んでいる。好適例においては、複数のフレームの中の少なくとも２つが共通平面を共有し、後に述べるように、共通平面がそれぞれの美術品１４の展示を可能とするのは、共通平面である。また、好適例において、個々のフレームは互いに直接隣接して配置され、請求の範囲ではそのように限定してはいない（例えば、２またはそれ以上のフレームが、その間に間隔をあけて、離れた関係で配置される。）  図１は、フレームが、下段に配置されたフレーム１３，１６、上段に配置されたフレーム１７，１８，１１、という２段に重ねられた組立を図示している。フレームは、（例えば図３−５に示すように）単一段、ここに示すように２段に積み重ねられ、３段、あるいはそれ以上に配置することができる。また、図１に示す組立の配置は、全体形状が長方形類似であるが、円形（丸）、多角形（三角、四角その他）、非対称など、その他の形状も可能である。
【００２３】
図２は、背面から見た図１に示す展示用組立の斜視図である。枠部材１８が複数の窪んだ楔形フレーム１１，１３，１６，１７および１８を囲っている。この具体例において、枠部材１９は、図２に示すように、複数のフレームの後に位置する。しかしながら、枠部材１９は、フレームの外側の周囲など、他の構成に複数のフレームに取り付けることができることは当業者には容易に分かることであろう。
【００２４】
図２は、枠付け技術には良く知られているが、背面パネル３２と支持手段３０も示している。図２Ａに示すように、支持手段３０は、背面パネルに固定接続する第１の蝶番要素３６を有する蝶番３４を有する。第２の蝶番要素３８は、第１蝶番要素に回転可能に接続する。支持要素４０は、第２の蝶番要素３８に固定される。支持要素４０は、装置１０ｇ水平面に置かれるとき、構造的支持となるよう、回転して背面パネル２０から離れるように配置される。展示用が保管されるか、壁に掛けられるとき、支持要素４０は、背面パネルに対して平坦になるよう回転される。
【００２５】
保持手段２４（図２に示す）は、複数のフレームの後の位置で背面パネル３２を支える。図２に示す例においては、保持手段２４は、２つの回転タブからなっている。しかし、フレームへの背面パネルの他の固定手段が可能であることは、当業者には容易に明きらかであり、これらの変形は請求の範囲記載の発明の範囲内である。
【００２６】
図３は、図１に示す展示用組立の分解斜視図である。この図は明らかに展示用組立１０が、窪んだ楔形フレーム、１７，１８，１１、１３および１６からなることを示している。「楔形」により、角フレームが良く知られた楔形をなしていることを意味している。例えばフレーム１１は、部材１１ａからなる「厚い」末端と部材１１ｃからなる「薄い」端部を有する。残りの２つの側端部材１１ｂと１１ｄは厚い端部から薄い端部に向かって先細になる。「窪む」とは、４つのフレーム部材が、フレーム部材により囲まれた観察開口を形成していることを意味している。
【００２７】
記載の明白さと完結さのために、図３はフレーム１３，１６，１７および１８も示している。フレーム１３は図に示すようにつながる、「厚い」フレーム部材１３ａ、平行に対向する「薄い」フレーム部材１３ｃ、および先細側面部材１３ｂおよび１３ｄを有する。フレーム１６は図に示すようにつながる、「厚い」フレーム部材１６ａ、平行に対向する「薄い」フレーム部材１６ｃ、および先細側面部材１６ｂおよび１６ｄを有する。フレーム１７は図に示すようにつながる、「厚い」フレーム部材１７ａ、平行に対向する「薄い」フレーム部材１７ｃ、および先細側面部材１７ｂおよび１７ｄを有する。フレーム１８は図に示すようにつながる、「厚い」フレーム部材１８ａ、平行に対向する「薄い」フレーム部材１８ｃ、および先細側面部材１８ｂおよび１８ｄを有する。
【００２８】
図３は、展示用組立の他の新規な点、複数のフレームの「角度配置（ａｎｇｕｌａｒ  ｏｒｉｅｎｔａｔｉｏｎ）」をも図示している。図３において、フレーム１１は「厚い」端部１１ａが図の上部で、「薄い」端部１１ｃは図の下部に位置している。これを０°角度配置という。フレーム１３は、フレーム１１に対し９０°時計回りに回転しており、「厚い」部材１３ａは「薄い」部材１３ｃの右方向にある。これを９０°配置という。同様に、フレーム１６はフレーム１３に対し９０°時計回りに回転し、「厚い」部材１６ａは図の下部にあり、「薄い」部材１６ｃは図の上部にある。これを１８０°配置と定義する。最後に、フレーム１７は、フレーム１６に対し９０°時計回りに回転しており、「厚い」部材１７ａが底辺にあり、「薄い」部材１７ｃは図の上辺にある。これを２７０°配置という。フレーム１８は９０°配置にある。本発明の好適例においては、複数のフレームのうち少なくとも２つは異なる角度配置にある。
【００２９】
ＦＩＧ．３Ａは、フレーム１１の分解斜視図である。ＦＩＧ．３Ｂはフレーム部材１１ａの斜視図である。ＦＩＧ．３Ｃは前面１１１を見せている、フレーム部材１１ａの正面図である。ＦＩＧ．３Ｄは、背面１１２を見せている、フレーム部材１１ａの背面図である。ＦＩＧ．３Ｅは上面１１３を見せている、フレーム部材１１ａの平面図である。ＦＩＧ．３Ｆは、底面１１４、左側面１１５，右側面１１６，および前面１１１を見せている、フレーム部材１１ａの底面図である。ＦＩＧ．３Ｇは左側面１１５を見せている、フレーム部材１１ａの左側面図である。ＦＩＧ．３Ｈは、右側面１１６を見せている、フレーム部材１１ａの右側面図である。
【００３０】
ＦＩＧ．３Ｊはフレーム部材１１ｂの斜視図である。ＦＩＧ．３Ｋは、前面１２１を見せている、フレーム部材１１ｂの正面図である。ＦＩＧ．３Ｌは、背面１２２を見せている、フレーム部材１１ｂの背面図である。ＦＩＧ．３Ｍは上面１２３を見せている、フレーム部材１１ｂの正面図である。ＦＩＧ．３Ｎは、底面１２４および前面１２１を見せている、フレーム部材１１ｂの底面図である。ＦＩＧ．３Ｐは左側面１２５、上面１２３，および底面１２４を見せている、フレーム部材１１ｂの左側面図である。ＦＩＧ．３Ｑは、右側面１２６を見せている、フレーム部材１１ｂの右側面図である。
【００３１】
ＦＩＧ．３Ｒは、フレーム部材１１ｃの斜視図である。ＦＩＧ．３Ｓは、前面１３１を見せている、フレーム部材１１ｃの正面図である。ＦＩＧ．３Ｔは、背面１３２を見せている、フレーム部材１１ｃの背面図である。ＦＩＧ．３Ｕは、上面１３３、左側面１３５，右側面１３６を見せている、フレーム部材１１ｃの平面図である。ＦＩＧ．３Ｖは、底面１３４および前面１３１を見せている、フレーム部材１１ｃの底面図である。ＦＩＧ．３Ｗは、左側面１３５を見せている、フレーム部材１１ｃの左側面図である。ＦＩＧ．３Ｘは、右側面１３６を見せている、フレーム部材１１ｃの右側面図である。
【００３２】
ＦＩＧ．３Ｙはフレーム部材１１ｄの斜視図である。ＦＩＧ．３Ｚは、前面１４１を見せている、フレーム部材１１ｄの正面図である。ＦＩＧ．３ＡＡは、背面１４２を見せている、フレーム部材１１ｄの背面図である。ＦＩＧ．３ＢＢは上面１４３を見せている、フレーム部材１１ｄの平面図である。ＦＩＧ．３ＣＣは、前面１４１を見せている、フレーム部材１１ｄの底面図である。ＦＩＧ．３ＤＤは左側面１４５を見せている、フレーム部材１１ｄの左側面図である。ＦＩＧ．３ＥＥは、右側面１４６、上面１４３、および底面１４４を見せている、フレーム部材１１ｄの右側面図である。
【００３３】
図４は、広く図２の線４−４に沿って切ったときの、本発明の展示用組立の断面図である。マット（matte）１５が複数のフレームの後に位置して図３−１に示されている。マット１５は、美術品１２と１４と複数のフレームの間の装飾的境界となる。マットの色は、美術品とフレームの間にコントラストをつけるように選択される。透明パネル２２がマット１５の下にある。美術品１２と１４は、後面パネル１２３上にある。後パネル３２は、裏打ちパネル１２３に位置しており、保持手段２４により位置づけられている。
【００３４】
図５は、図１に示す本発明の分解斜視図であり、分解して横から見たものである。好適具体例の次の要素、マット１５，透明パネル２２，裏打ちパネル２３，および美術品１２と１４が示されている。
【００３５】
図６はフレーム１１の他の具体例の分解斜視図である。図６−１中、ＦＩＧ．６Ａは、フレーム部材１１ａの斜視図である。ＦＩＧ．６Ｂは前面２１１を見せている、フレーム部材１１ａの正面図である。ＦＩＧ．６Ｃは、背面２１２を見せている、フレーム部材１１ａの背面図である。ＦＩＧ．６Ｄは上面２１３を見せている、フレーム部材１１ａの平面図である。ＦＩＧ．６Ｅは、底面２１４を見せている、フレーム部材１１ａの底面図である。ＦＩＧ．６Ｆは左側面２１５を見せている、フレーム部材１１ａの左側面図である。ＦＩＧ．６Ｇは、右側面２１６を見せている、フレーム部材１１ａの右側面図である。
【００３６】
図６−２中、ＦＩＧ．６Ｈはフレーム部材１１ｂの斜視図である。ＦＩＧ．６Ｊは、前面２２１を見せている、フレーム部材１１ｂの正面図である。ＦＩＧ．６Ｋは、背面２２２を見せている、フレーム部材１１ｂの背面図である。ＦＩＧ．６Ｌは上面２２３を見せている、フレーム部材１１ｂの平面図である。ＦＩＧ．６Ｍは、底面２２４を見せている、フレーム部材１１ｂの底面図である。ＦＩＧ．６Ｎは左側面２２５を見せている、フレーム部材１１ｂの左側面図である。ＦＩＧ．６Ｐは、右側面２２６を見せている、フレーム部材１１ｂの右側面図である。
【００３７】
図６−３中、ＦＩＧ．６Ｑは、フレーム部材１１ｃの斜視図である。ＦＩＧ．６Ｒは前面２３１を見せている、フレーム部材１１ｃの正面図である。ＦＩＧ．６Ｓは、背面２３２を見せている、フレーム部材１１ｃの背面図である。ＦＩＧ．６Ｔは上面２３３を見せている、フレーム部材１１ｃの平面図である。ＦＩＧ．６Ｕは、底面２３４を見せている、フレーム部材１１ｃの底面図である。ＦＩＧ．６Ｖは左側面２３５を見せている、フレーム部材１１ｃの左側面図である。ＦＩＧ．６Ｗは、右側面２３６を見せている、フレーム部材１１ｃの右側面図である。
【００３８】
図６−４中、ＦＩＧ．６Ｘは、フレーム部材１１ｄの斜視図である。ＦＩＧ．６Ｙは前面２４１を見せている、フレーム部材１１ｄの正面図である。ＦＩＧ．６Ｚは、背面２４２を見せている、フレーム部材１１ｄの背面図である。ＦＩＧ．６ＡＡは上面２４３を見せている、フレーム部材１１ｄの平面図である。ＦＩＧ．６ＢＢは、底面２４４を見せている、フレーム部材１１ｄの底面図である。ＦＩＧ．６ＣＣは左側面２４５を見せている、フレーム部材１１ｄの左側面図である。ＦＩＧ．６ＤＤは、右側面２４６を見せている、フレーム部材１１ｄの右側面図である。
【実施例２】
【００３９】
図７は、この展示用組立の第２の具体例である。この具体例において、個々のフレームは、フレーミング部材１９に固定されているが、互いには固定されていない。つまり、個々のフレーム間には間隔があけられている。
【００４０】
上述したように、図８は、展示用組立のその他の（第３の）具体例であり、複数のフレームは、非対称（でこぼこの）配置で１段に配置されている。この具体例において、フレームの少なくとも２つはそれぞれ共平面である少なくとも１つの表面を有する。
【００４１】
従って、本発明の目的は効率的に達成されるが、本発明への訂正や変更は当業者には容易に明らかとなり、これらの訂正や変更は、特許請求の範囲に含まれるものである。
【図面の簡単な説明】
【００４２】
【図１】前面から見た本発明の斜視図である。
【図２】背面から見た、図１の本発明の斜視図および図２の線２Ａ−２Ａに沿って観察した、ヒンジ３４、後部パネル３２および支持要素４０の部分図である。
【図３】図１の本発明を部分的に展開した斜視図であり、本発明の１つの具体例中の５つの窪んだ楔形フレームを図示している。
【図３−１】図３のフレーム１１の展開斜視図である。
【図３−２】図３に示すフレーム部材１１ａの斜視図および六面図である。
【図３−３】図３に示すフレーム部材１１ａの斜視図および六面図である。
【図３−４】図３に示すフレーム部材１１ａの斜視図および六面図である。
【図３−５】図３に示すフレーム部材１１ａの斜視図および六面図である。
【図４】図２の線４−４に沿って切った、本発明の展示用組立体の断面図である。
【図５】左側から観察し、組み立てていない、図１に示す本発明の展開斜視図である。
【図６】他の具体例の展開斜視図である。
【図６−１】図６に示すフレーム部材１１ｃの斜視図および六面図である。
【図６−２】図６に示すフレーム部材１１ｃの斜視図および六面図である。
【図６−３】図６に示すフレーム部材１１ｃの斜視図および六面図である。
【図６−４】図６に示すフレーム部材１１ｄの斜視図および六面図である。
【図７】フレーム組立体の第２の具体例の斜視図である。
【図８】複数のフレームが１つの段に配置されているフレーム組立体の第３の具体例の斜視図である。
【図１】
2004209216.tif 000003
【図２】
2004209216.tif 000004
【図３】
2004209216.tif 000005
【図３−１】
2004209216.tif 000006
【図３−２】
2004209216.tif 000007
【図３−３】
2004209216.tif 000008
【図３−４】
2004209216.tif 000009
【図３−５】
2004209216.tif 000010
【図４】
2004209216.tif 000011
【図５】
2004209216.tif 000012
【図６】
2004209216.tif 000013
【図６−１】
2004209216.tif 000014
【図６−２】
2004209216.tif 000015
【図６−３】
2004209216.tif 000016
【図６−４】
2004209216.tif 000017
【図７】
2004209216.tif 000018
【図８】
2004209216.tif 000019